(57)【要約】【課題】耐震性を向上させ、かつ、プロテクター内をコンパクトにまとめた家庭用の液化ガスバルク供給ユニットを提供する。【解決手段】液化ガスを貯留する容器本体１と、この容器本体１に設けられたガス取出弁２ａとＵＳメータ２ｋの入口側とを第１配管で連結するとともにＵＳメータ２ｋの出口側にガス消費機器へガスを供給する第２配管を連結してなるガス供給ユニット２とを備えて液化ガスバルク供給ユニットを構成し、前記容器本体１に前記ＵＳメータ２ｋを支持固定するためのメータ取付けブラケット２ｌを設けるとともに、前記メータ取付けブラケット２ｌに前記ＵＳメータ２ｋを固定する。【選択図】図１
2007298095.tif 000002
【特許請求の範囲】
【請求項１】
液化ガスを貯留する容器本体１と、この容器本体１に設けられたガス取出弁２ａとガスメータ２ｋのガス入口側とを第１配管で連結するとともにガスメータ２ｋの出口側にガス消費機器へガスを供給する第２配管を連結してなるガス供給ユニット２とを備えた液化ガスバルク供給ユニットであって、前記容器本体１に前記ガスメータ２ｋを支持固定するためのガスメータ支持部材２ｌを設けるとともに、前記ガスメータ支持部材２ｌに前記ガスメータ２ｋが固定されている液化ガスバルク供給ユニット。
【請求項２】
請求項１記載の液化ガスバルク供給ユニットにおいて、前記第１配管と第２配管を相互に連結固定する水平方向の配管支持部材２ｖを設けたことを特徴とする液化ガスバルク供給ユニット。
【請求項３】
請求項１又は２に記載の液化ガスバルク供給ユニットにおいて、前記第１配管は、Ｌ字状の配管部材２ｉ，２ｊを複数組み合わせて構成されていることを特徴とする液化ガスバルク供給ユニット。
【請求項４】
請求項１乃至３のいずれかに記載の液化ガスバルク供給ユニットにおいて、ガスメータ支持部材２ｌは、ガスメータ底面を支持するように構成されたものであることを特徴とする液化ガスバルク供給ユニット。
【発明の詳細な説明】
【技術分野】
【０００１】
本発明は、液化ガスを受け入れて、ガス消費機器に供給する、一般家庭に設置するのに適した液化ガスバルク供給ユニットに係り、特に、耐震性に考慮した液化ガスバルク供給ユニットに関する。
【背景技術】
【０００２】
一般家庭用ＬＰガスはＬＰガスボンベを宅配して交換する形式が一般的であるが、小型の液化ガスバルク供給ユニットを配置し、タンクローリー車でＬＰガスを補給するシステムが提案されている（特許文献１〜７参照）。
【０００３】
このようなシステムにおいては、各液化ガスバルク供給ユニットに、当該ユニットから供給される液化ガスの流量を計測するガスメータを設ける必要がある。ガスメータとして通常用いられる膜式メータは、その構造上の理由により縦に長く、かつ入り側及び出側の継手が上面に設けられているため、膜式メータに接続される配管も必然的に容器本体から上方に高く引きまわす必要があり、長い配管により、上方から吊り下げる構成となっていた。
【０００４】
図３に、従来設置されている液化ガスバルク供給ユニットのガス供給ユニットの正面図を、図４にその背面図を示す。図３に示すように、容器本体１上面に配管支持部材２０を立設し、この配管支持部材２０に、ガス取出弁２ａに接続された２段減圧一体型調整器２ｄに金属フレキ管を介して接続された第１配管１０を固定して支持し、同様に、ガス消費機器に液化ガスを供給する管路に繋がる第２配管１１を配管支持部材２０に固定して支持している。そして、前記第１配管１０の下流端及び第２配管１１の上流端を下方に向け、供給ガス量を計測する膜式メータであるＳ型保安ガスメータ１２の上面に設けられた入口メータ継手及び出口メータ継手に接続してある。
【０００５】
すなわち、Ｓ型保安ガスメータ１２は、第１配管１０と第２配管１１に吊り下げる形で支持され、したがって、第１配管１０と第２配管１１をＳ型保安ガスメータ１２とともに支持するために、配管支持部材２０は、図３、図４に示すように、Ｓ型保安ガスメータ１２の高さを越える高さに形成する必要があり、それに伴って、ガス供給ユニットを覆うプロテクターも大きくなっていた。また、Ｓ型保安ガスメータ１２が吊り下げられた形で設置されていたため、地震や輸送時の振動が容器本体よりも大きくなっていた。
【０００６】
【特許文献１】特開平１０−１９２００号公報
【特許文献２】特開平１０−２６２９９号公報
【特許文献３】特開平１０−５４５００号公報
【特許文献４】特開２０００−７４２９８号公報
【特許文献５】特開２００１−１２４２９８号公報
【特許文献６】特開２００１−１９３８９９号公報
【特許文献７】特開２００５−３２５９８７号公報
【発明の開示】
【発明が解決しようとする課題】
【０００７】
従来は膜式メータを入口メータ継手及び出口メータ継手のみで上から吊るす方式であったため、地震が発生した場合、メータが大きく揺れ、本来、感震遮断するほどの揺れではないのに感震遮断（誤遮断）を引き起こし、ガスが使用できなくなる惧れがあった。
【０００８】
また、従来は配管が単一方向で、かつ、長いため、より一層振動が助長されやすく、地震により横揺れが発生した場合、メータは自重により前後方向に大きく揺れる惧れがあった。
【０００９】
更に、液化ガスバルク供給ユニットの施工工数を低減するために、予め供給機器やガスメータをバルク貯槽プロテクター内に取付けた状態で据付現場に搬入する施工法が採用され、輸送中の振動による配管継手部の緩みが発生しないような、供給機器やガスメータの取付け方法が求められている。
【００１０】
本発明の課題は、耐震性を向上させ、かつ、プロテクター内をコンパクトにまとめた液化ガスバルク供給ユニットを提供することである。
【課題を解決するための手段】
【００１１】
上記の課題は、液化ガスを貯留する容器本体と、この容器本体に設けられたガス取出弁とガスメータの入口側とを第１配管で連結するとともにガスメータの出口側にガス消費機器へガスを供給する第２配管を連結してなるガス供給ユニットとを備えた液化ガスバルク供給ユニットであって、前記容器本体に前記ガスメータを支持固定するためのガスメータ支持部材を設けるとともに、前記ガスメータ支持部材に前記ガスメータが固定されている液化ガスバルク供給ユニットにより、達成される。
【００１２】
上記構成によれば、ガスメータは容器本体に設けられたガスメータ支持部材に直接支持固定されるため、地震などの振動が拡大されて伝わることが無く、感震装置が設定された震度未満で作動して供給停止に至る頻度が低減されるとともに、高い配管支持部材がなくなり、プロテクター内の構造が簡易化され、コンパクトになる。
【００１３】
前記第１配管と第２配管を相互に連結固定する水平方向の配管支持部材を設けることが望ましい。また、前記第１配管は、Ｌ字状の配管部材を複数組み合わせたものとするのがよい。
【００１４】
なお、ガスメータ支持部材２ｌは、ガスメータ底面を支持するように構成されたものであることが望ましい。
【発明の効果】
【００１５】
本発明によれば、耐震性の向上により感震遮断の頻度が低減され、ガス使用機器の使用不能時間が短縮されるとともに、遮断復旧のための手間を省くことができる。
【発明を実施するための最良の形態】
【００１６】
以下、図面を参照して本発明の実施の形態を説明する。図１に、本発明の実施の形態に係る液化ガスバルク供給ユニットのガス供給ユニットを、プロテクタを外した状態で正面（前方）から見た図を示し、図２に、ガス供給ユニットを右斜め後方の上方から見た図を示す。
【００１７】
図示の液化ガスバルク供給ユニットは、液化ガスを貯溜する１２０ｋｇ横型バルク貯槽である容器本体１と、容器本体１の上面に、容器本体１内部に連通して設置されたガス供給ユニット２とを含んで構成されている。
【００１８】
容器本体１は軸線を水平にして配置された円筒状の容器であり、上面に、液面計１ａ、液取出弁１ｂが設けられている。
【００１９】
ガス供給ユニット２は、容器本体１上面に、容器本体１内部に連通して設置されたガス取出弁２ａと、ガス取出弁２ａとボディを共通にして設けられた液取入弁２ｂ及び液取入弁用カップリング２ｃと、同じくガス取出弁２ａに接続された２段減圧一体型調整器２ｄと、２段減圧一体型調整器２ｄのガス出側に接続された検査孔付きねじガス栓２ｅと、検査孔付きねじガス栓２ｅのガス出側に接続されたＬ字形配管部材であるエルボ継手２ｆと、エルボ継手２ｆに接続された金属フレキ管２ｇと、容器本体１上面にメータ取付け面を水平にして溶接固着されたガスメータ支持部材であるメータ取付けブラケット２ｌと、メータ取付けブラケット２ｌにメータ取付け板を介してねじ止めされたＵＳガスメータ２ｋと、ＵＳガスメータ２ｋ上面のメータ入口継手と前記金属フレキ管２ｇの下流端を接続する第１配管と、ＵＳガスメータ２ｋ上面のメータ出口継手に一方の端部を接続された第２配管と、容器本体１上面に溶接固着されたプロテクター固定金具２ｔに高さ調整可能にねじ止めされ、前記第２配管を支持固定する配管支持ブラケット２ｕと、前記第１配管と第２配管を相互に連結固定する水平方向の配管支持部材２ｖと、容器本体１上面に溶接固着され前記二段減圧一体型調整器２ｋの底部を支える調整器支持ブラケット２ｗと、を含んで構成されている。
【００２０】
前記第１配管は、前記金属フレキ管２ｇの下流端に、Ｔ字形の縦の辺を接続され、Ｔ字形の横の辺を上下方向にして接続されたＴ字形配管部材２ｈと、一方の端部をＴ字形配管部材２ｈの上向きの端部に接続され他方の端部を容器本体１の軸線と直交する水平方向前方に向けたＬ字形配管部材であるエルボ継手２ｉと、前記エルボ継手２ｉに一方の端部を接続され他方の端部をＵＳガスメータ２ｋ上面のメータ入口継手に接続したＬ字形配管部材であるエルボ継手２ｊと、前記Ｔ字形配管部材２ｈの下向きの端部に一方の継手を接続され、他方の継手にドレンプラグが装着された図示されていないドレン抜き用Ｌ字形配管部材と、を含んで構成されている。
【００２１】
前記第２配管は、ＵＳガスメータ２ｋ上面のメータ出口継手に一方の端部を接続され、他方の端部を容器本体１の軸線と直交する水平方向後方に向けたＬ字形配管部材であるエルボ継手２ｍと、エルボ継手２ｍに一方の端部を接続され、他方の端部を水平方向（メータ入口継手と離れる方向）に向けたＬ字形配管部材であるエルボ継手２ｎと、エルボ継手２ｎに一方の端部を接続され、他方の端部を上下方向下向きにしたＬ字形配管部材であるエルボ継手２ｏと、エルボ継手２ｏに一方の端部を接続され、軸線を上下方向にした配管部材２ｐと、配管部材２ｐの下端に一方の端部を接続され、他方の端部を水平方向後方に向けたＬ字形配管部材であるエルボ継手２ｑと、エルボ継手２ｑに一方の端部を接続され、軸線を水平方向にした配管部材２ｒと、配管部材２ｒの端部に取付けられたキャップ２ｓと、を含んで構成されている。キャップ２ｓは、据え付け現場で取り外され、ガス消費機器と配管部材２ｒが配管接続される。前記配管支持ブラケット２ｕは、前記配管部材２ｒをＵボルトで固定している。
【００２２】
前記配管支持部材２ｖはＬ形アングルとサドルバンドで構成され、ドレン抜き用Ｌ字形配管部材の軸線が上下方向になっている部分と前記配管部材２ｐにＬ形アングルが当接配置され、サドルバンドで両者を相互に固定する。
【００２３】
ＵＳガスメータ２ｋは超音波で計測した液化ガスの流速を用いて流量を測定するもので、縦長重量型の膜式メータに比べて横長軽量型であり、メータ底面が平らでメータ取付けブラケット２ｌも単純な構造で構成できる。ＵＳガスメータ２ｋには、感震装置が内装され、予め設定された震度を感知したとき、液化ガスの供給を遮断するようになっている。
【００２４】
また、ＵＳガスメータ２ｋは底面に取付け板をねじ止めし、容器本体１の上面に溶接固着したメータ取付けブラケット２ｌに前記取付け板を介してＵＳガスメータ２ｋをねじ止めして支持されている。このため、地震の際、ガスメータが容器本体１よりも振動が助長される惧れがない。
【００２５】
さらに、ＵＳガスメータ２ｋを、ＵＳガスメータ２ｋに接続された第１配管、第２配管で支持するのではなく、容器本体１に溶接固着したメータ取付けブラケット２ｌに取付けて支持するので、配管を支持する強固な支持ブラケットを取付けなくてすむ。配管を支持する強固な支持ブラケットは設けないが、前記第１配管、第２配管を前記水平方向の配管支持部材２ｖで連結して相互に固定しているので、配管自体の振動は抑止され、十分な耐震性が確保されている。さらに、前記第１配管、第２配管はいずれも短いエルボ継手を互いに異なる方向に向くように組み合わせて構成されており、１本の単一方向に伸びる配管よりも、色々な方向の振動に対し、耐震性に優れる。
【００２６】
また、ＵＳガスメータ２ｋは膜式メータに比べて横長軽量型であるため、配管の立ち上がり高さが低くなり、配管系がコンパクト化されるとともに、ガス供給ユニット２全体を覆うプロテクターの高さを低くすることが可能になり、メンテナンスも容易になった。
【００２７】
本実施の形態によれば、容器本体１上面にメータ取付けブラケット２ｌが溶接固着され、ＵＳガスメータ２ｋが取付け板を介してメータ取付けブラケット２ｌに固定されるので耐震性が向上し、感震遮断の頻度が低減され、ガス使用機器の使用不能時間が短縮されるとともに、遮断復旧のための手間を省くことができる。また、ＵＳガスメータ２ｋを工場出荷段階でメータ取付けブラケット２ｌに取付けても輸送中の動揺による過大な振動の惧れが無くなった。したがって、予め、容器本体１に供給機器やガスメータを取り付けた状態で据付現場に搬入することが可能になり、据付工数が低減される。また、ガスメータに接続される配管を支持する部材が簡易化され、プロテクター内がコンパクトに配置、配管されるため、プロテクター自体が小さくなり、メンテナンスもし易くなる。
【００２８】
なお、本実施の形態では、ガスメータとしてＵＳ（Ultra Sonic）ガスメータを用いたが、本発明は、ＵＳガスメータに限らず、底面が平らなガスメータであれば適用可能である。
【図面の簡単な説明】
【００２９】
【図１】本発明の実施の形態に係る液化ガスバルク供給ユニットを示す正面図である。
【図２】図１に示す液化ガスバルク供給ユニットの斜視図である。
【図３】従来技術に係る液化ガスバルク供給ユニットの正面側を示す外観斜視図である。
【図４】図３に示す液化ガスバルク供給ユニットの背面側を示す外観図である。。
【符号の説明】
【００３０】
１  容器本体
１ａ  液面計
１ｂ  液取出弁
２  ガス供給ユニット
２ａ  ガス取出弁
２ｂ  液取入弁
２ｃ  液取入弁用カップリング
２ｄ  ２段減圧一体型調整器
２ｅ  検査孔付きねじガス栓
２ｆ  エルボ継手
２ｇ  金属フレキ管
２ｈ  Ｔ字形配管部材
２ｉ  エルボ継手
２ｊ  エルボ継手
２ｋ  ＵＳガスメータ
２ｌ  メータ取付けブラケット
２ｍ  エルボ継手
２ｎ  エルボ継手
２ｏ  エルボ継手
２ｐ  配管部材
２ｑ  エルボ継手
２ｒ  配管部材
２ｓ  キャップ
２ｔ  プロテクター固定金具
２ｕ  配管支持ブラケット
２ｖ  配管支持部材
２ｗ  調整器支持ブラケット
【図１】
2007298095.tif 000003
【図２】
2007298095.tif 000004
【図３】
2007298095.tif 000005
【図４】
2007298095.tif 000006